(57)【要約】【課題】  給水タンクを取り外さずとも、水の溢れ出しを防止可能な給水装置及びスチーム発生装置を提供する。【解決手段】  水が貯留される水槽部と、該水槽部内に着脱可能に配置され、補充が必要な消耗品が収容される収容部と、給水口を有し、水槽部の水位を一定に保持すべく給水口を介して水槽部に水を供給するための給水部と、給水口に設けられ、該給水口の閉塞方向に常時付勢されると共に、押圧力の付与に基づき開弁する弁体とを備える給水装置に、消耗品の補充時に、収容部を着脱するために、装置本体に設けられる開口部と、収容部を着脱不可とすべく、開口部に装着される蓋体と、給水口の近傍に支持され、蓋体の装着時に、弁体を開弁すべく、端部を該弁体に当接させて押圧力を付与すると共に、蓋体の非装着時に、端部を前記弁体から離間する押圧部材とを設ける。【選択図】        図１
2010042199.tif 000002
【特許請求の範囲】
【請求項１】
水が貯留される水槽部と、該水槽部内に着脱可能に配置され、補充が必要な消耗品が収容される収容部と、給水口を有し、前記水槽部の水位を一定に保持すべく前記給水口を介して前記水槽部に水を供給するための給水部と、前記給水口に設けられ、該給水口の閉塞方向に常時付勢されると共に、押圧力の付与に基づき開弁する弁体とを備える給水装置であって、
前記消耗品の補充時に、前記収容部を着脱するために、装置本体に設けられる開口部と、
前記収容部を着脱不可とすべく、前記開口部に装着される蓋体と、
前記給水口の近傍に支持され、前記蓋体の装着時に、前記弁体を開弁すべく、端部を該弁体に当接させて押圧力を付与する押圧部材と、
を備え、
前記押圧部材は、前記蓋体の非装着時に、前記端部を前記弁体から離間する
ことを特徴とする給水装置。
【請求項２】
前記蓋体は、前記開口部への装着時に、前記押圧部材の被当接部に押圧力を付与する突起部を有し、
前記押圧部材は、前記突起部からの前記押圧力に基づき回動し、前記端部を前記弁体に当接させて、該弁体に押圧力を付与する
ことを特徴とする請求項１記載の給水装置。
【請求項３】
水が貯留される水槽部と、給水口を有し、前記水槽部の水位を一定に保持すべく前記給水口を介して前記水槽部に水を供給するための給水部と、前記給水口に設けられ、該給水口の閉塞方向に常時付勢されると共に、押圧力の付与に基づき開弁する弁体と、前記水槽部内に着脱可能に配置され、補充が必要な薬剤が収容される収容部と、前記薬剤を霧化すべく前記水への出力を行う超音波振動子と、霧化された前記薬剤をスチームとして装置本体外へ噴出させる噴出部とを備えるスチーム発生装置であって、
前記薬剤の補充時に、前記収容部を着脱するために、装置本体に設けられる開口部と、
前記収容部を着脱不可とすべく、前記開口部に装着される蓋体と、
前記給水口の近傍に支持され、前記蓋体の装着時に、前記弁体を開弁すべく、端部を該弁体に当接させて押圧力を付与する押圧部材と、
を備え、
前記押圧部材は、前記蓋体の非装着時に、前記端部を前記弁体から離間する
ことを特徴とするスチーム発生装置。
【請求項４】
前記蓋体は、前記開口部への装着時に、前記押圧部材の被当接部に押圧力を付与する突起部を有し、
前記押圧部材は、前記突起部からの前記押圧力に基づき回動し、前記端部を前記弁体に当接させて、該弁体に押圧力を付与する
ことを特徴とする請求項３記載のスチーム発生装置。
【発明の詳細な説明】
【技術分野】
【０００１】
本発明は、給水部から水槽部へ水を供給する給水装置と、該給水装置を含み、薬剤を霧化してスチームを発生するスチーム発生装置とに関する。
【背景技術】
【０００２】
水を加熱して霧化させ、スチームを発生するスチーム発生装置が知られている。この種のスチーム発生装置は、水が貯留される水槽部と、該水槽部に水を供給する給水部とを備える給水装置を含み、水槽部内の水が加熱され、超音波振動子により霧化されてスチームとなった後、該スチームがファン部からの送風により装置外部へ噴出される（例えば、下記特許文献１、特許文献２及び特許文献３参照）。
【０００３】
上記したスチーム発生装置は、薬剤を霧化させてスチームを発生する理容器として利用されている。理容器とは、薬剤のスチームを頭部に当てることにより、頭皮の洗浄や毛髪のトリートメント等を行うものである。
【０００４】
このような理容器では、しかし、薬剤の水溶液が水槽部に貯留されるため、水槽部底部に薬剤が残留するという衛生上の問題があった。また、薬剤の種類により、装置内部に腐蝕が発生する虞があった。
【０００５】
上記した問題を解決するため、水槽部内部に薬剤を収容するための収容部を備えるスチーム発生装置が要望されている。
図６は、スチーム発生装置の一例を示す図（その１）であり、図７は、スチーム発生装置の一例を示す図（その２）である。
【０００６】
このスチーム発生装置８０は、図６及び図７に示されるように、本体８１と、本体８１の開口部を覆う着脱自在な蓋体としてのポットカバー８２とからなり、本体８１の内部に、水槽部としてのポット８３を有する。また、ポット８３の内部には、水溶液である薬剤８４を収容するための収容部としてのインナーカップ８５が配置される。このインナーカップ８５は、図６に示されるように、ポットカバー８２を本体８１から取り外した状態で、開口部を介して着脱可能となっている。
【０００７】
スチーム発生装置８０には、更に、カートリッジ式の給水タンク８６が、給水部として取り付けられる。給水タンク８６の取付位置には、図６及び図７に示されるように、突起部８７が設けられ、給水タンク８６が取り付けられると、該突起部８７が、給水タンクキャップ８８に内蔵される弁体８９を押し上げる。これにより、弁体８９は開弁し、給水タンク８６から本体８１の内部へ、水９０が供給される。
【０００８】
スチーム発生装置８０において、給水タンク８６の取付位置下方には、図６及び図７に示されるように、パイプ９１が形成されている。給水タンク８６から供給された水９０は、このパイプ９１によりポット８３へと案内され、ポット８３を一定水位に保持した状態で貯留される。
【０００９】
また、スチーム発生装置８０には、図６及び図７に示されるように、加熱部９２と超音波振動子９３とが、それぞれ設置されている。図７に示されるように、ポットカバー８２が装着され、スチーム発生装置８０が運転を開始すると、加熱部９２によりポット８３内の水が加熱され、水温が上昇する。これに伴い、インナーカップ８５に収容された薬剤８４も加熱され、霧化される。更に、超音波振動子９３が出力を開始すると、ポット８３内の水を媒介として、インナーカップ８５に振動が伝達される。これにより、霧化した薬剤８４がスチームとなり、該スチームが、ポットカバー８２に設けられた噴出ノズル９４を介して、装置外に噴出される。
【特許文献１】特許第４０７７１８９号公報
【特許文献２】特許第４０７７１８８号公報
【特許文献３】特許第４０６４６５７号公報
【発明の開示】
【発明が解決しようとする課題】
【００１０】
しかしながら、上記したスチーム発生装置８０では、消耗品である薬剤を補充するためにインナーカップ８５を取り出すと、ポット８３の水位が下降するので、該水位を一定に保持すべく、給水タンク８６からポット８３へ水９０が供給される。そのため、薬剤の補充後、インナーカップ８５が再度装着されると、ポット８３の水位が上昇し、ポット８３から水が溢れ出してしまうという問題があった。
【００１１】
このような水の溢れ出しを防ぐためには、インナーカップ８５の取り出しに先立ち、まず、スチーム発生装置８０から給水タンク８６を取り外す。そして、インナーカップ８５を取り出して、薬剤を補充し、該インナーカップ８５をスチーム発生装置８０に装着させた後、給水タンク８６を再度取り付けなければならず、作業が煩雑になってしまっていた。
【００１２】
したがって、給水タンクを取り外さずとも、水の溢れ出しを防止可能な給水装置及びスチーム発生装置が望まれていた。
【課題を解決するための手段】
【００１３】
本発明は、以上の点を解決するために、次の構成を採用する。
【００１４】
〈構成１〉
本発明に係る給水装置は、水が貯留される水槽部と、該水槽部内に着脱可能に配置され、補充が必要な消耗品が収容される収容部と、給水口を有し、水槽部の水位を一定に保持すべく給水口を介して水槽部に水を供給するための給水部と、給水口に設けられ、該給水口の閉塞方向に常時付勢されると共に、押圧力の付与に基づき開弁する弁体と、消耗品の補充時に、収容部を着脱するために、装置本体に設けられる開口部と、収容部を着脱不可とすべく、開口部に装着される蓋体と、給水口の近傍に支持され、蓋体の装着時に、弁体を開弁すべく、端部を該弁体に当接させて押圧力を付与する押圧部材とを備え、押圧部材は、蓋体の非装着時に、端部を前記弁体から離間することを特徴とする。
【００１５】
〈構成２〉
本発明に係るスチーム発生装置は、水が貯留される水槽部と、給水口を有し、水槽部の水位を一定に保持すべく給水口を介して水槽部に水を供給するための給水部と、給水口に設けられ、該給水口の閉塞方向に常時付勢されると共に、押圧力の付与に基づき開弁する弁体と、水槽部内に着脱可能に配置され、補充が必要な薬剤が収容される収容部と、薬剤を霧化すべく水への出力を行う超音波振動子と、霧化された薬剤をスチームとして装置本体外へ噴出させる噴出部とを備え、薬剤の補充時に、収容部を着脱するために、装置本体に設けられる開口部と、収容部を着脱不可とすべく、開口部に装着される蓋体と、給水口の近傍に支持され、蓋体の装着時に、弁体を開弁すべく、端部を該弁体に当接させて押圧力を付与する押圧部材とを設け、押圧部材は、蓋体の非装着時に、端部を弁体から離間することを特徴とする。
【発明の効果】
【００１６】
本発明の給水装置及びスチーム発生装置によれば、給水口に設けられた弁体に押圧力を付与して開弁させると共に、装置本体の開口部に装着される蓋体の着脱動作に連動し、該蓋体の非装着時に、弁体から離間する押圧部材が設けられるので、開口部を介する収容部の着脱時に、給水部による水槽部への水の供給が停止される。したがって、消耗品の補充に伴う水槽部からの水の溢れ出しを防止可能となる。
【発明を実施するための最良の形態】
【００１７】
以下、本発明の実施形態を、図を用いて詳細に説明する。
【実施例】
【００１８】
図１は、本発明の実施例に係るスチーム発生装置の構成を示す断面図（その１）である。
本実施例のスチーム発生装置１０は、給水タンク１２からポット１３に水を供給する給水装置１１を含んで構成され、インナーカップ１４内に収容された薬剤を霧化し、スチームを装置外に噴出する。
【００１９】
スチーム発生装置１０は、図１に示されるように、本体１５と、本体１５の開口部１５ａを覆う着脱自在な蓋体としてのポットカバー１６とからなる。
【００２０】
開口部１５ａの下方には、水が貯留される水槽部としてのポット１３が備えられている。ポット１３は、図１に示されるように、上方へ開口する大径部２１と、該大径部２１と一体的に形成される小径部２２とを有する。
【００２１】
大径部２１の開口部分には、収容部としてのインナーカップ１４が、開口部１５ａを介して着脱可能に配置される。このインナーカップ１４は、本実施例では樹脂からなり、内部に消耗品としての水溶液である薬剤２３を収容する。インナーカップ１４に収容される薬剤２３は、例えば、毛髪用のトリートメント剤である。
【００２２】
大径部２１の下面２１ａには、ポット１３に貯留されている水を加熱するためのヒータ２４が、下面２１ａに沿って設けられている。また、小径部２２の底面２２ａには、超音波を出力する超音波振動子２５が設けられている。
【００２３】
小径部２２は、更に下方への開口部２２ｂを有し、該開口部２２ｂに、パイプ２０が連結されている。また、小径部２２の底面には、ポット１３内の水の温度Ｔを検出するための温度センサ（不図示）が設けられている。
【００２４】
給水装置１１は、カートリッジ式の給水タンク１２を備え、該給水タンク１２内の水１７を、パイプ２０を介してポット１３に供給する。
【００２５】
給水タンク１２は、給水部として、水１７を収容し、給水口２７にキャップ１８を装着した状態で、該キャップ１８部分を下側に、所定の位置に立設される。
【００２６】
キャップ１８の内部には、弁ばね１９ａを内蔵する弁体１９が設けられている。弁ばね１９ａは、自然長より縮んだ状態で取り付けられ、弁体１９を常時下向きに付勢している。これにより、弁体１９は、給水口２７に連通する通流孔２８を閉塞する。
【００２７】
給水口２７の下方には、図１に示されるように、パイプ２０が形成されている。パイプ２０は、給水タンク１２から供給された水１７をポット１３に導くための導通管として、給水タンク１２の取付位置近傍から、ポット１３の開口部２２ｂまで延伸される。また、給水口２７の近傍には、押圧部材としての給水シーソー２６が配置されている。
【００２８】
給水シーソー２６は、図１に示されるように、軸２６ａを中心とする両端に、給水口２７に向かって突出する端部２６ｃと、ポットカバー１６の被当接部２６ｂとを有し、軸２６ａの周りに回動可能に支持される。また、給水シーソー２６は、ポット１３側の被当接部２６ｂが、給水タンク１２側の端部２６ｃと比較して軽くなるように形成されている。そのため、給水シーソー２６の端部２６ｃは、図１に示されるように、被当接部２６ｂより下方位置に保持される。このとき、端部２６ｃ及び給水キャップ１８の弁体１９は離間している。
【００２９】
次に、スチーム発生装置１０において、本体１５の開口部１５ａにポットカバー１６が装着された場合について、説明する。
図２は、本発明の実施例に係るスチーム発生装置の構成を示す断面図（その２）である。
【００３０】
ポットカバー１６は、図１及び図２に示されるように、突起部としてのツメ部１６ａを有する。このツメ部１６ａは、ポットカバー１６の本体１５への装着時において、図２に示されるように、給水シーソー２６の被当接部２６ｂに当接して、該被当接部２６ｂを押し下げる。これにより、給水シーソー２６は、軸２６ａの周りに反時計方向に回動する。これにより、給水タンク１２側の端部２６ｃは上動して、給水口２７の内部に入り込み、弁体１９の端部１９ｃに当接し、弁体１９に上向きの押圧力を付与する。
【００３１】
この押圧力に基づき、弁体１９は、弁ばね１９ａの弾性力に抗して上動する。これにより、通流孔２８は開放され、該通流孔２８及び給水口２７を介して、給水タンク１２から水１７が供給される。
【００３２】
給水タンク１２から供給された水１７は、パイプ２０を介してポット１３へと導かれる。給水装置１１における給水タンク１２側の水位は、図２に示されるように、給水口２７の位置が上限となる。ポット１３には、給水タンク１２側の水位と同じ高さに達するまで、給水タンク１２から水が供給される。そして、通流孔２８の開放中、即ちポットカバー１６の装着時において、ポット１３には、図２に示されるように、一定水位に保持された状態で水が貯留される。
【００３３】
パイプ２０には、図１に示されるように、該パイプ２０及びポット１３内の水を排水するための通流孔２９と、該通流孔２９を閉塞する弁体３１とが設けられている。
【００３４】
弁体３１は、弁ばね３１ａを内蔵し、該弁ばね３１ａにより常時下向きに付勢されている。また、弁体３１には、図示されない作動杆が連結され、利用者により該作動杆が押圧されると、弁体３１が上動して、通流孔２９が開放される。これにより、パイプ２０及びポット１３内の水が、スチーム発生装置１０の外部に排出される。そして、利用者が作動杆から手を放すと、弁ばね３１ａの弾性力に基づき、弁体３１は下動して、通流孔２９を再び閉塞する。
【００３５】
ポットカバー１６には、図１及び図２に示されるように、本体１５への装着時にインナーカップ１４の上部を覆うスチーム案内筒３２と、該スチーム案内筒３２に連通してポットカバー１６から突出する噴出ノズル３３とが、それぞれ備えられている。
【００３６】
次に、本実施例のスチーム発生装置１０の制御システムについて、説明する。
図３は、本発明の実施例に係るスチーム発生装置の制御システムを示すブロック図である。
【００３７】
制御システム３０は、図３に示されるように、マイクロコンピュータ３４と、該マイクロコンピュータ３４に制御される操作パネル３９と、電源回路４０と、該電源回路４０に接続する駆動回路４１とを含む。
【００３８】
マイクロコンピュータ３４は、メモリ３５及び通電制御部３７と、該メモリ３５及び通電制御部３７を制御するための制御部３８とを備えている。
【００３９】
メモリ３５は、予め定められた２種類の第１設定温度Ｔ１に対応して、水の初期温度Ｔ０と、各第１設定温度Ｔ１及び初期温度Ｔ０に対応するそれぞれの第２設定温度Ｔ２とを記憶している。ここで、各温度は、Ｔ０≦Ｔ２≦Ｔ１である。
【００４０】
通電制御部３７は、ポット１３の底面に設けられた温度センサ３６からの温度検知信号に基づいて、駆動回路４１の通電率を制御する。
【００４１】
操作パネル３９は、本体１５に設けられ、利用者により操作される。操作パネル３９には、運転モードや運転時間ｔを設定するための設定キーや、水位の低下を警告するための給水警告ランプ、運転開始及び停止を指示するためのスタート／ストップキー等が設けられている。本実施例のスチーム発生装置１０は、第１設定温度Ｔ１と、霧化量「大」或いは「小」の何れかとの組み合わせからなる４種類の運転モードの切替設定を行う。
【００４２】
電源回路４０は、商用交流電源に接続し、該電源回路４０には、本体１５の底部に設けられた転倒スイッチ４２と、温度ヒューズ４３とが接続されている。
【００４３】
転倒スイッチ４２は、運転中のスチーム発生装置１０が転倒した場合に、運転を停止させるために設けられる。また、温度ヒューズ４３は、異常加熱を防止するために、ヒータ２４の近傍に設けられる。
【００４４】
駆動回路４１には、フロートスイッチ４４、ヒータ２４、超音波振動子２５、温度センサ３６及びファン部４５が接続されている。
【００４５】
フロートスイッチ４４は、水位を検出するために、給水口２７の下方に設けられる。ファン部４５は、スチームに風を与えるために、給水装置１１の下方に設置される。
【００４６】
次に、本実施例のスチーム発生装置１０の動作について、フローチャートに沿って説明する。
図４は、本発明の実施例に係るスチーム発生装置の動作を示すフローチャート（その１）であり、図５は、本発明の実施例に係るスチーム発生装置の動作を示すフローチャート（その２）である。
【００４７】
利用者は、スチーム発生装置１０の利用に先立ち、図１に示されるように、水１７が収容された給水タンク１２を所定位置に取り付けると共に、薬剤２３を収容したインナーカップ１４をポット１３の大径部２１に取り付ける。そして、ポットカバー１６を、図２に示されるように、本体１５に装着させる。
【００４８】
ポットカバー１６が装着されると、ツメ部１６ａからの押圧力に基づき、給水シーソー２６が回動する。そして、給水シーソー２６の端部２６ｃが、弁体１９の端部１９ｃを押圧し、弁体１９が上動する。これにより、通流孔２８が開放され、給水タンク１２からの水の供給が開始される。
【００４９】
給水タンク１２からポット１３に水が供給されると、マイクロコンピュータ３４の制御部３８は、温度センサ３６から、初期温度としての水温Ｔ０を示す温度検知信号を読み取り、メモリ３５に記憶させる（ステップＳ１）。
【００５０】
次に、利用者が、操作パネル３９操作して、運転モード及び運転時間を設定すると、制御部３８は、操作パネル３９からの入力に基づき、第１設定温度Ｔ１及び霧化量「大」或いは「小」と運転時間ｔとを設定し、メモリ３５に記憶させる（ステップＳ２）。
【００５１】
そして、利用者が、操作パネル３９のスタート／ストップキーを押下する（ステップＳ３）と、制御部３８は、フロートスイッチ４４からの水位検知信号に基づいて、水位の確認を行う（ステップＳ４）。
【００５２】
水位不足であると判定すると、制御部３８は、操作パネル３９の給水警告ランプを点灯させる（ステップＳ５）。
【００５３】
所定の水位であると判定すると、制御部３８は、通電制御部３７へ制御指示を送る。制御指示を受けた通電制御部３７は、駆動回路４１を起動して、ヒータ２４に通電させ、ポット１３の水を加熱する（ステップＳ６）。ポット１３に貯留された水が加熱されると、該水を介して、インナーポット１４内の薬剤２３も加熱される。
【００５４】
制御部３８は、メモリ３５に記憶されている初期温度Ｔ０と、設定された第１設定温度Ｔ１とに基づいて、メモリ３５から対応する第２設定温度Ｔ２を読み出す。そして、制御部３８は、温度センサ３６からの温度検知信号に基づいて、水温Ｔが該第２設定温度Ｔ２に到達したか否かを判定する（ステップＳ７）。
【００５５】
ポット１３の水温Ｔが第２設定温度Ｔ２に達すると、制御部３８は、駆動回路４１を起動して、メモリ３５に設定されている霧化量に応じて超音波振動子２５を駆動させると共に、ファン部４５を駆動させる（ステップＳ８）。
【００５６】
超音波振動子２５が超音波を出力すると、ポット１３内の水を媒介として、インナーカップ１４に振動が伝達される。これにより、加熱された薬剤２３が霧化され、駆動されたファン部４５からの送風により、霧化された薬剤２３がスチームとして、スチーム案内筒３２及び噴出ノズル３３を介して、スチーム発生装置１０の外部に噴出される。
【００５７】
その後、制御部３８は、温度センサ３６からの温度検知信号に基づき、ポット１３の水温Ｔがメモリ３５に設定されている第１設定温度Ｔ１に到達したか否かを判定する（ステップＳ９）。
【００５８】
ポット１３の水温Ｔが第１設定温度Ｔ１に達すると、制御部３８は、通電制御部３７へ制御指示を送る。制御指示を受けた通電制御部３７は、駆動回路４１を制御して、ヒータ２４への通電率を低減する（ステップＳ１０）。駆動回路４１は、例えば、通電率を加熱時の８５％に低減して、ヒータ２４への通電を継続する。
【００５９】
その後、利用者が、操作パネル３９のスタート／ストップキーを押下する（ステップＳ１１）と、或いは、ステップＳ３におけるスタート／ストップキーの押下からの経過時間が、メモリ３５に設定されている運転時間ｔに達する（ステップＳ１２）と、制御部３８は、駆動回路４１を制御して、ヒータ２４への通電を停止すると共に、超音波振動子２５の駆動を停止する（ステップＳ１３）。
【００６０】
そして、更に所定の時間、例えば３０秒が経過すると（ステップＳ１４）、制御部３８は、駆動回路４１を制御して、ファン部４５の駆動を停止する（ステップＳ１５）。これにより、スチーム発生装置１０の運転が停止される。
【００６１】
上記のように、ポット１３に貯留された水を介して、インナーカップ１４内の薬剤２３が加熱して霧化され、スチームとして噴出される。利用者は、噴出ノズル３３の先端部に頭部をかざして、薬剤２３のスチームを毛髪に当てることができる。
【００６２】
インナーカップ１４に薬剤２３を補充する場合、利用者は、まず、スチーム発生装置１０の本体１５から、ポットカバー１６を取り外す。このとき、ポットカバー１６のツメ部１６ａから給水シーソー２６の被当接部２６ｂへの押圧力が取り除かれるので、給水シーソー２６は、給水タンク１２側の端部２６ｃの重みにより、軸２６ａの周りに時計方向に回動する。端部２６ｃは下動し、図１に示されるように、弁体１９の端部１９ｃから離間する。これにより、弁体１９への給水シーソー２６からの押圧力は取り除かれ、弁体１９は、弁ばね１９ａの弾性力に基づき下動して、通流孔２８を閉塞するので、給水タンク１２からの水１７の供給が停止される。
【００６３】
このポットカバー１６の非装着時、即ち開口部１５ａの開状態において、利用者が、スチーム発生装置１０の本体１５から、開口部１５ａを介して、インナーカップ１４を取り出すと、ポット１３内の水位は下降する。しかしながら、給水タンク１２の通流孔２８は、弁体１９により閉塞状態に保持されているので、水１７の供給は停止されたままである。その後、薬剤２３を補充したインナーカップ１４を取り付けると、ポット１３内の水位は、インナーカップ１４を取り外す前の水位に戻る。
【００６４】
以上のように、本発明に係るスチーム発生装置１０では、給水タンク１２の取付位置下方に、給水タンク１２の弁体１９を押し上げて開弁させるための給水シーソー２６が設けられる。この給水シーソー２６は、ポット１３側の被当接部２６ｂが、給水タンク１２側の端部２６ｃと比較して軽くなるように形成されるので、ポットカバー１６の非装着時において、端部２６ｃは弁体１９との離間状態に保持される。したがって、給水タンク１２の通流孔２８が弁体１９による閉塞状態に保持され、給水タンク１２からの水１７の供給が停止されるので、給水タンク１２を取り外さずとも、インナーカップ１４の着脱に伴うポット１３からの水の溢れ出しが防止される。
【００６５】
また、給水シーソー２６は、ポットカバー１６の装着時において、ポットカバー１６に設けられたツメ部１６ａにより、ポット１３側の被当接部２６ｂを押し下げられるので、給水タンク１２側の端部２６ｃが上動し、給水タンク１２の弁体１９を押し上げて開弁させる。これにより、給水タンク１２からポット１３への水１７の供給が可能となるので、ポット１３に水が貯留される。したがって、ポット１３内の水を介して、インナーカップ１４内の薬剤２３の加熱及び振動の伝達が可能となるので、薬剤２３をスチームとして装置外部に噴出できる。
【００６６】
なお、本実施例では、給水シーソー２６は、被当接部２６ｂが端部２６ｃと比較して軽くなるように形成されたが、本発明はこれに限定されない。例えば、給水シーソー２６に反時計方向の引張力を付与するコイルスプリングを配設しても良い。
【産業上の利用可能性】
【００６７】
上記した実施例では、毛髪のトリートメントを行う理容器を例として説明を行ったが、本発明はこれに限定されない。例えば、頭皮の洗浄を行うための理容器や、美容のための薬剤のスチームを顔に当てる美顔器に適用することも可能である。
【図面の簡単な説明】
【００６８】
【図１】本発明の実施例に係るスチーム発生装置の構成を示す断面図（その１）である。
【図２】本発明の実施例に係るスチーム発生装置の構成を示す断面図（その２）である。
【図３】本発明の実施例に係るスチーム発生装置の制御システムを示すブロック図である。
【図４】本発明の実施例に係るスチーム発生装置の動作を示すフローチャート（その１）である。
【図５】本発明の実施例に係るスチーム発生装置の動作を示すフローチャート（その２）である。
【図６】スチーム発生装置の一例を示す図（その１）である。
【図７】スチーム発生装置の一例を示す図（その２）である。
【符号の説明】
【００６９】
１０  スチーム発生装置
１１  給水装置
１２  給水タンク
１３  ポット
１４  インナーカップ
１５  本体
１６  ポットカバー
１６ａ  ツメ部
１９  弁体
２６  給水シーソー
【図１】
2010042199.tif 000003
【図２】
2010042199.tif 000004
【図３】
2010042199.tif 000005
【図４】
2010042199.tif 000006
【図５】
2010042199.tif 000007
【図６】
2010042199.tif 000008
【図７】
2010042199.tif 000009